(57)【要約】    【課題】  多様なスケジュールを簡単な操作で選択して利用することができるようにする。    【解決手段】  コンテンツを出力する表示装置１に併設されてそこでのコンテンツの出力を制御する再生端末２において、複数のコンテンツの出力手順を示すスケジュールデータを、リモートコントローラ４の操作キーに対応づけて登録し、その操作キーが操作されるのに応じてそれに対応するスケジュールデータにしたがって表示装置１でのコンテンツの出力を制御するものとする。【選択図】    図２
2007027915.tif 000002
【特許請求の範囲】
【請求項１】
コンテンツ出力装置に併設されてそのコンテンツ出力装置でのコンテンツの出力を制御するコンテンツ出力制御装置であって、
複数の操作キーが配列された入力手段と、複数のコンテンツの出力手順を示すスケジュールデータを前記操作キーに対応づけて記憶する記憶手段と、オペレータにより前記操作キーが操作されるのに応じてそれに対応する前記スケジュールデータにしたがってコンテンツの出力を制御する出力制御手段とを有することを特徴とするコンテンツ出力制御装置。
【請求項２】
コンテンツ出力装置に併設されてそのコンテンツ出力装置でのコンテンツの出力を制御するコンテンツ出力制御装置であって、
複数の操作キーが配列された入力手段と、出力開始時間を各々定めた複数のコンテンツの出力手順を示す第１スケジュールデータ並びに所定の操作キーに対応づけて記憶され複数のコンテンツの出力手順を示す第２スケジュールデータを記憶する記憶手段と、前記第１スケジュールデータにしたがったコンテンツの出力と前記第２スケジュールデータにしたがったコンテンツの出力とを切り替えて出力する出力制御手段とを有することを特徴とするコンテンツ出力制御装置。
【請求項３】
前記第２スケジュールデータは所定の操作キーに１対１で対応づけられて登録され、前記出力制御手段は、前記所定の操作キーの入力により一方の第２スケジュールデータの出力と他方の第２スケジュールデータの出力とを切り替えて出力することを特徴とする請求項２に記載のコンテンツ出力制御装置。
【請求項４】
コンテンツ出力装置に併設されてそのコンテンツ出力装置でのコンテンツの出力を制御するコンテンツ出力制御装置であって、
入力手段と、複数のコンテンツの出力手順を示すスケジュールデータにしたがってコンテンツの出力を制御する出力制御手段と、オペレータによる前記入力手段の操作に基づいて前記スケジュールデータを所定の操作キーに対応づけて生成するスケジュールデータ生成手段とを有することを特徴とするコンテンツ出力制御装置。
【請求項５】
前記スケジュールデータ生成手段により生成した前記スケジュールデータを、ネットワークを介して他装置に送信するスケジュールデータ送信手段をさらに有することを特徴とする請求項４に記載のコンテンツ出力制御装置。
【請求項６】
前記入力手段の操作に応じて、前記スケジュールデータの内容を示す確認画面をコンテンツ出力装置に表示させるスケジュールデータ表示制御手段をさらに有することを特徴とする請求項１若しくは請求項４に記載のコンテンツ出力制御装置。
【請求項７】
複数のコンテンツを視聴覚情報として出力するコンテンツ出力装置と、このコンテンツ出力装置に併設されて該コンテンツ出力装置でのコンテンツの出力を制御するコンテンツ出力制御装置と、このコンテンツ出力制御装置を管理するコンテンツ出力管理装置とを有し、
前記コンテンツ出力管理装置が、複数のコンテンツおよび入力手段の所定の操作キーに対応づけて登録され複数のコンテンツの出力手順を示すスケジュールデータを前記コンテンツ出力制御装置に送信し、
前記コンテンツ出力制御装置が、オペレータにより前記所定の操作キーが入力されたとき、前記入力された操作キーに対応づけられたスケジュールデータにしたがってコンテンツを出力するよう前記コンテンツ出力装置を制御することを特徴とするコンテンツ出力システム。
【請求項８】
複数のコンテンツを視聴覚情報として出力するコンテンツ出力装置と、このコンテンツ出力装置に併設されて該コンテンツ出力装置でのコンテンツの出力を制御するコンテンツ出力制御装置と、このコンテンツ出力制御装置を管理するコンテンツ出力管理装置とを有し、
前記コンテンツ出力管理装置が、複数のコンテンツおよび出力開始時間を各々定めた複数のコンテンツの出力手順を示す第１スケジュールデータと入力手段の所定の操作キーに対応づけて登録され複数のコンテンツの出力手順を示す第２スケジュールデータとを前記コンテンツ出力制御装置に送信し、
前記コンテンツ出力制御装置が、オペレータによる入力手段の操作に基づいて、前記第１スケジュールデータにしたがったコンテンツの出力と前記第２スケジュールデータにしたがったコンテンツの出力とを切り替えて出力するよう前記コンテンツ出力装置を制御することを特徴とするコンテンツ出力システム。
【請求項９】
複数のコンテンツを視聴覚情報として出力するコンテンツ出力装置と、このコンテンツ出力装置に併設されて該コンテンツ出力装置でのコンテンツの出力を制御するコンテンツ出力制御装置と、このコンテンツ出力制御装置を管理するコンテンツ出力管理装置とを有し、
前記コンテンツ出力制御装置が、オペレータによる入力手段の操作に基づいて、複数のコンテンツの出力手順を示すスケジュールデータを所定の操作キーに対応づけて生成して、このスケジュールデータにしたがってコンテンツ出力装置でのコンテンツの出力を制御すると共に、前記スケジュールデータを前記コンテンツ出力管理装置に送信するようにしたことを特徴とするコンテンツ出力システム。
【請求項１０】
オペレータによる入力手段の操作に基づいて所定の操作キーに対応づけて生成した、複数のコンテンツの出力手順を示すスケジュールデータを、ネットワークを介して、コンテンツ出力装置でのコンテンツの出力を制御するコンテンツ出力制御装置から取得するスケジュールデータ取得手段を有することを特徴とするコンテンツ出力管理装置。
【請求項１１】
複数のコンテンツの出力手順を示すスケジュールデータを、入力手段の操作キーに対応づけて登録し、その操作キーが操作されるのに応じてそれに対応する前記スケジュールデータにしたがってコンテンツ出力装置でのコンテンツの出力を制御することを特徴とするコンテンツ出力方法。
【請求項１２】
出力開始時間を各々定めた複数のコンテンツの出力手順を示す第１スケジュールデータにしたがったコンテンツの出力と、入力手段の所定の操作キーに対応づけて登録され複数のコンテンツの出力手順を示す第２スケジュールデータにしたがったコンテンツの出力とを、オペレータによる入力手段の操作に基づいて、切り替えて出力することを特徴とするコンテンツ出力方法。
【発明の詳細な説明】
【技術分野】
【０００１】
本発明は、コンテンツ出力装置でのコンテンツの出力を制御するコンテンツ出力制御装置、コンテンツ出力制御装置でのコンテンツの出力状態を管理するコンテンツ出力管理装置、コンテンツ出力装置とコンテンツ出力制御装置とコンテンツ出力管理装置とで構成されるコンテンツ出力システム、コンテンツ出力装置でのコンテンツの出力を制御するコンテンツ出力方法に関するものである。
【背景技術】
【０００２】
広告などのコンテンツを出力するコンテンツ出力装置（電子看板装置）に対して、コンテンツデータ、並びにその組合せ及び出力手順に関する情報を含むスケジュールデータ（制御データ）を定期的にまたは任意のタイミングで配信するシステムが知られている（特許文献１参照）。
【特許文献１】特開平１０−２４０２０５号公報
【発明の開示】
【発明が解決しようとする課題】
【０００３】
しかしながら、前記従来の技術では、コンテンツ編集装置で作成されたスケジュールデータにしたがってコンテンツ出力装置でコンテンツが出力されるのみであり、例えば客が来店した際にその客が興味を示す特定の商品を案内するコンテンツを見せたい場合のように、現場の要望に応じて適切なコンテンツが登録されたスケジュールを適宜に選択して出力させることができないという不都合がある。また、店舗ごとの特徴を生かしたコンテンツを出力させたい場合のように、現場の要望に応じて出力するコンテンツを適宜に選択して利用することができないという不都合がある。
【０００４】
本発明は、このような従来技術の問題点を解消するべく案出されたものであり、その主な目的は、多様なスケジュールを簡単な操作で選択して利用することができるように構成されたコンテンツ出力制御装置、及びコンテンツ出力方法を提供することにある。また本発明は、コンテンツ出力装置が設置された現場で、出力するコンテンツを適宜に選択して利用することができるように構成されたコンテンツ出力制御装置、コンテンツ出力システム、及びコンテンツ出力管理装置を提供することにある。
【課題を解決するための手段】
【０００５】
このような課題を解決するために、本発明によるコンテンツ出力制御装置においては、請求項１に示すとおり、コンテンツ出力装置に併設されてそのコンテンツ出力装置でのコンテンツの出力を制御するものであり、特に複数の操作キーが配列された入力手段と、複数のコンテンツの出力手順を示すスケジュールデータを前記操作キーに対応づけて記憶する記憶手段と、オペレータにより前記操作キーが操作されるのに応じてそれに対応する前記スケジュールデータにしたがってコンテンツの出力を制御する出力制御手段とを有するものとした。
【０００６】
これによると、スケジュールを対応付けて登録可能な入力手段の操作キーの数に応じて、多様なスケジュールを簡単な操作で選択して利用することができる。
【０００７】
この場合、スケジュールデータは、コンテンツの識別情報、及び各コンテンツの出力順位に関する情報を含むものである。さらにスケジュールデータは、コンテンツの出力時間に関する情報を含み、指定された出力時間内で、コンテンツを繰り返し出力する構成としても良い。
【０００８】
また、スケジュールデータは、コンテンツの出力を相対時間で管理するものとし、キー操作に応じて最初のコンテンツから順に出力を開始するものとし、このとき、スケジュールデータに対応付けられた単一の操作キーの操作で、スケジュールデータを選択すると同時にコンテンツの出力を開始させる構成とすると、客が来店した際など、コンテンツの出力を開始させたい所望のタイミングで、コンテンツの出力を迅速に且つ簡単な操作で開始させることができる。また、スケジュールにしたがったコンテンツの出力が終了すると最初のコンテンツに戻って繰り返し出力するようにしても良い。
【０００９】
さらに、スケジュールデータは、コンテンツ出力装置のオン（起動状態）とオフ（スタンバイ状態）との切り替え信号を送出する動作を指示するデータを含み、コンテンツ出力装置のオン／オフをスケジュール化するようにしても良い。
【００１０】
また、スケジュールデータに登録されるコンテンツは、コンテンツ出力制御装置でのコンテンツの出力状態を管理するコンテンツ出力管理装置から配信されるなど、外部の装置から取得して、内蔵する所定のストレージに格納されたものの他、ＤＶＤなどの映像コンテンツなどが記録されたメディアを読み取る装置から出力されるもの、テレビ放送を受信する装置から出力されるもの、インターネットを介してストリーミング配信されるコンテンツを受信する装置から出力されるものなども可能である。
【００１１】
また、前記の入力手段は、コンテンツ出力制御装置本体に対して、赤外線などの適宜な無線通信媒体を用いて操作信号を送信するリモートコントローラとすると良い。
【００１２】
また、本発明によるコンテンツ出力制御装置においては、請求項２に示すとおり、コンテンツ出力装置に併設されてそのコンテンツ出力装置でのコンテンツの出力を制御するものであり、特に複数の操作キーが配列された入力手段と、出力開始時間を各々定めた複数のコンテンツの出力手順を示す第１スケジュールデータ並びに所定の操作キーに対応づけて記憶され複数のコンテンツの出力手順を示す第２スケジュールデータを記憶する記憶手段と、前記第１スケジュールデータにしたがったコンテンツの出力と前記第２スケジュールデータにしたがったコンテンツの出力とを切り替えて出力する出力制御手段とを有するものとした。
【００１３】
前記コンテンツ出力制御装置においては、請求項３に示すとおり、前記第２スケジュールデータは所定の操作キーに１対１で対応づけられて登録され、前記出力制御手段は、前記所定の操作キーの入力により一方の第２スケジュールデータの出力と他方の第２スケジュールデータの出力とを切り替えて出力する構成とすることができる。
【００１４】
また、本発明によるコンテンツ出力制御装置においては、請求項４に示すとおり、コンテンツ出力装置に併設されてそのコンテンツ出力装置でのコンテンツの出力を制御するものであり、特に入力手段と、複数のコンテンツの出力手順を示すスケジュールデータにしたがってコンテンツの出力を制御する出力制御手段と、オペレータによる前記入力手段の操作に基づいて前記スケジュールデータを所定の操作キーに対応づけて生成するスケジュールデータ生成手段とを有するものとした。
【００１５】
これによると、コンテンツ出力装置が設置された現場で、出力するコンテンツを適宜に選択して利用することができる。
【００１６】
この場合、コンテンツ出力装置あるいはこれとは異なる表示装置に操作画面を表示させ、この操作画面に基づいてオペレータに入力手段の操作を行わせることで、スケジュールデータの生成に要するデータを取得するようにすれば良い。
【００１７】
また、スケジュールデータ生成手段では、コンテンツ出力制御装置でのコンテンツの出力状態を管理するコンテンツ出力管理装置から配信されたスケジュールデータを修正編集するようにしても良い。
【００１８】
前記コンテンツ出力制御装置においては、請求項５に示すとおり、前記スケジュールデータ生成手段により生成した前記スケジュールデータを、ネットワークを介して他装置に送信するスケジュールデータ送信手段をさらに有する構成とすることができる。
【００１９】
これによると、コンテンツ出力装置が設置された現場で自由に作成されたスケジュールをコンテンツ出力管理装置で管理することができる。さらに、コンテンツ出力制御装置から受け取ったスケジュールデータを他のコンテンツ出力制御装置に配信することで、別の現場でも利用することが可能になり、利便性が向上する。
【００２０】
前記コンテンツ出力制御装置においては、請求項６に示すとおり、前記入力手段の操作に応じて、前記スケジュールデータの内容を示す確認画面をコンテンツ出力装置に表示させるスケジュールデータ表示制御手段をさらに有する構成とすることができる。これによると、スケジュールの登録内容を容易に確認することができる。
【００２１】
この場合、スケジュールデータに登録された出力手順の内容を確認するため、コンテンツの識別名称及び出力時間を出力順に一覧表示する番組表形式で表示すると良い。また、スケジュールデータに登録されたコンテンツの内容の確認が容易になるように、コンテンツのサムネイル画像や早送り画像を表示するようにしても良い。
【００２２】
また、入力手段のキー操作で確認画面を呼び出す場合、確認専用のキーを設ける他、スケジュールデータに対応するキーを長押しするなどの操作で行うようにして、確認専用のキーを設けない構成も可能である。
【００２３】
また、本発明によるコンテンツ出力システムにおいては、請求項７に示すとおり、複数のコンテンツを視聴覚情報として出力するコンテンツ出力装置と、このコンテンツ出力装置に併設されて該コンテンツ出力装置でのコンテンツの出力を制御するコンテンツ出力制御装置と、このコンテンツ出力制御装置を管理するコンテンツ出力管理装置とを有し、前記コンテンツ出力管理装置が、複数のコンテンツおよび入力手段の所定の操作キーに対応づけて登録され複数のコンテンツの出力手順を示すスケジュールデータを前記コンテンツ出力制御装置に送信し、前記コンテンツ出力制御装置が、オペレータにより前記所定の操作キーが入力されたとき、前記入力された操作キーに対応づけられたスケジュールデータにしたがってコンテンツを出力するよう前記コンテンツ出力装置を制御するものとした。
【００２４】
また、本発明によるコンテンツ出力システムにおいては、請求項８に示すとおり、複数のコンテンツを視聴覚情報として出力するコンテンツ出力装置と、このコンテンツ出力装置に併設されて該コンテンツ出力装置でのコンテンツの出力を制御するコンテンツ出力制御装置と、このコンテンツ出力制御装置を管理するコンテンツ出力管理装置とを有し、前記コンテンツ出力管理装置が、複数のコンテンツおよび出力開始時間を各々定めた複数のコンテンツの出力手順を示す第１スケジュールデータと入力手段の所定の操作キーに対応づけて登録され複数のコンテンツの出力手順を示す第２スケジュールデータとを前記コンテンツ出力制御装置に送信し、前記コンテンツ出力制御装置が、オペレータによる入力手段の操作に基づいて、前記第１スケジュールデータにしたがったコンテンツの出力と前記第２スケジュールデータにしたがったコンテンツの出力とを切り替えて出力するよう前記コンテンツ出力装置を制御するものとした。
【００２５】
また、本発明によるコンテンツ出力システムにおいては、請求項９に示すとおり、複数のコンテンツを視聴覚情報として出力するコンテンツ出力装置と、このコンテンツ出力装置に併設されて該コンテンツ出力装置でのコンテンツの出力を制御するコンテンツ出力制御装置と、このコンテンツ出力制御装置を管理するコンテンツ出力管理装置とを有し、前記コンテンツ出力制御装置が、オペレータによる入力手段の操作に基づいて、複数のコンテンツの出力手順を示すスケジュールデータを所定の操作キーに対応づけて生成して、このスケジュールデータにしたがってコンテンツ出力装置でのコンテンツの出力を制御すると共に、前記スケジュールデータを前記コンテンツ出力管理装置に送信するようにしたものとした。
【００２６】
これによると、コンテンツ出力装置が設置された現場で自由に作成されたスケジュールをコンテンツ出力管理装置で管理することができる。
【００２７】
この場合、コンテンツ出力管理装置が、自装置が保持するスケジュールデータを、ネットワークを介してコンテンツ出力制御装置に配信するスケジュールデータ配信手段を有する構成において、コンテンツ出力制御装置から受け取ったスケジュールデータを、生成元のコンテンツ出力制御装置とは異なる他のコンテンツ出力制御装置に配信するようにすると、スケジュールデータを別の現場でも利用することが可能になる。
【００２８】
また、本発明によるコンテンツ出力管理装置においては、請求項１０に示すとおり、オペレータによる入力手段の操作に基づいて所定の操作キーに対応づけて生成した、複数のコンテンツの出力手順を示すスケジュールデータを、ネットワークを介して、コンテンツ出力装置でのコンテンツの出力を制御するコンテンツ出力制御装置から取得するスケジュールデータ取得手段を有するものとした。
【００２９】
これによると、コンテンツ出力装置が設置された現場で自由に作成されたスケジュールをコンテンツ出力管理装置で管理することができる。
【００３０】
この場合、コンテンツ出力管理装置が、自装置が保持するスケジュールデータを、ネットワークを介してコンテンツ出力制御装置に配信するスケジュールデータ配信手段をさらに有する構成において、コンテンツ出力制御装置から受け取ったスケジュールデータを、他のコンテンツ出力制御装置に配信するようにすると、スケジュールデータを別の現場でも利用することが可能になる。
【００３１】
また、コンテンツ出力管理装置が、自装置が保持するスケジュールデータを、ネットワークを介してコンテンツ出力制御装置に配信するスケジュールデータ配信手段をさらに有する構成において、このコンテンツ出力管理装置からコンテンツ出力制御装置が受け取った後にコンテンツ出力制御装置にて修正編集されたスケジュールデータを取得するようにしても良い。
【００３２】
また、コンテンツ出力管理装置が、オペレータによる入力手段の操作に基づいてスケジュールデータを生成するスケジュールデータ生成手段をさらに有する構成において、コンテンツ出力制御装置から受け取ったスケジュールデータを必要に応じて修正編集した上で、コンテンツ出力制御装置に配信するようにしても良い。
【００３３】
また、本発明によるコンテンツ出力方法においては、請求項１１に示すとおり、複数のコンテンツの出力手順を示すスケジュールデータを、入力手段の操作キーに対応づけて登録し、その操作キーが操作されるのに応じてそれに対応する前記スケジュールデータにしたがってコンテンツ出力装置でのコンテンツの出力を制御するものとした。
【００３４】
これによると、スケジュールを対応付けて登録可能な入力手段の操作キーの数に応じて、多様なスケジュールを選択して利用することができる。
【００３５】
また、本発明によるコンテンツ出力方法においては、請求項１２に示すとおり、出力開始時間を各々定めた複数のコンテンツの出力手順を示す第１スケジュールデータにしたがったコンテンツの出力と、入力手段の所定の操作キーに対応づけて登録され複数のコンテンツの出力手順を示す第２スケジュールデータにしたがったコンテンツの出力とを、オペレータによる入力手段の操作に基づいて、切り替えて出力するものとした。
【発明の効果】
【００３６】
このように本発明によれば、入力手段の複数の操作キーに対応付けてスケジュールデータを登録することで、入力手段の操作キーの数に応じて、多様なスケジュールを簡単な操作で選択して利用することができ、利便性を高める上で大きな効果が得られる。また、コンテンツ出力装置に併設されたコンテンツ出力制御装置でスケジュールデータを生成するようにすることで、コンテンツ出力装置が設置された現場で、出力するコンテンツを適宜に選択して利用することができ、利便性を高める上で大きな効果が得られる。
【発明を実施するための最良の形態】
【００３７】
以下、本発明の実施の形態を、図面を参照しながら説明する。
【００３８】
図１は、本発明によるコンテンツ出力システムを示すシステム構成図である。このコンテンツ出力システムは、広告などの各種のコンテンツを画像出力する複数の表示装置（コンテンツ出力装置）１と、この複数の表示装置１の各々に併設されて表示装置１でのコンテンツの出力を制御する複数の再生端末（コンテンツ出力制御装置）２と、この再生端末２でのコンテンツの出力状態を管理するセンタ装置（コンテンツ出力管理装置）３とからなっている。再生端末２とセンタ装置３とはネットワーク（例えばインターネット）を介して接続されている。
【００３９】
表示装置１は、例えば多数の店舗を擁する自動車ディーラの販売店や、フランチャイズチェーンを構成する飲食店などに配置される。再生端末２は、自装置内に格納されたコンテンツデータなどに基づいてコンテンツの画像信号を表示装置１に出力するものであり、表示装置１に外付けで接続され、あるいは表示装置１の筐体に内蔵される。センタ装置３は、例えば自動車ディーラやフランチャイズチェーンの管理部門に配置される。
【００４０】
なお、ここでは、コンテンツの主な内容が画像にあるため、画像に関する処理について説明するが、画像に音声を伴うコンテンツ、あるいは音声単独のコンテンツも同様に適用可能であり、これらの場合、表示装置が備えたスピーカ、あるいはスピーカ単体が、音声用のコンテンツ出力装置として用いられる。
【００４１】
図２は、図１に示した再生端末の概略構成を示すブロック図である。この再生端末２は、ＣＰＵ２１と、このＣＰＵ２１での制御に要するプログラムを保持するＲＯＭ２２と、ＣＰＵ２１での制御の際のワークエリアとなるＲＡＭ２３と、所要のデータを格納するハードディスク（記憶手段）２４とを有している。
【００４２】
さらに再生端末２は、ネットワークを介してセンタ装置３とデータを送受するためのネットワークインタフェース２５と、表示装置１に画像信号を出力する表示装置インタフェース２６と、複数の操作キーが配列されたリモートコントローラ（入力手段）４からの操作信号を受信するリモコンインタフェース２７と、ＴＶチューナ５及びＤＶＤプレーヤ６が出力する映像信号をそれぞれ受信する外部装置インタフェース２８とを有している。
【００４３】
ハードディスク２４には、センタ装置３から配信された複数のコンテンツデータ、並びに複数のコンテンツの出力手順に関する情報が記載された通常スケジュールデータが格納されており、ＣＰＵ２１では、通常スケジュールデータにしたがってコンテンツの出力を制御する、すなわち通常スケジュールデータが指示する順番及び時間に基づいてハードディスク２４からコンテンツデータを読み出し、これに基づいて表示装置インタフェース２６を介して表示装置１に画像信号を送り、これにより表示装置１でコンテンツが順に表示される。
【００４４】
また、ハードディスク２４には、複数のコンテンツの出力手順に関する情報を、リモートコントローラ４の操作キーに対応づけて登録された複数のキー別スケジュールデータが格納されており、ＣＰＵ（出力制御手段）２１では、オペレータによりリモートコントローラ４の操作キーが操作されるのに応じてそれに対応するキー別スケジュールデータにしたがってコンテンツの出力を制御するようになっている。
【００４５】
また、ＣＰＵ（スケジュールデータ生成手段）２１では、後に詳述するように、リモートコントローラ４によるオペレータの操作に基づいてキー別スケジュールデータを生成するようになっており、このスケジュールデータ生成機能を用いて、キー別スケジュールを新規に作成したり、あるいはセンタ装置３から取得したキー別スケジュールを修正編集することができる。
【００４６】
また、ネットワークインタフェース（スケジュールデータ送信手段）２５では、後に詳述するように、ＣＰＵ２１からの指示に基づいて、ハードディスク３４から読み出されたキー別スケジュールデータを、ネットワークを介してセンタ装置３に送信するようになっている。
【００４７】
また、ＣＰＵ（スケジュールデータ表示制御手段）２１では、後に詳述するように、リモートコントローラ４における所定のキー操作に応じて、キー別スケジュールデータの内容を示す確認画面を表示装置１に表示させるようになっている。
【００４８】
図３は、図１に示したセンタ装置の概略構成を示すブロック図である。このセンタ装置３は、ＣＰＵ３１と、このＣＰＵ３１での制御に要するプログラムを保持するＲＯＭ３２と、ＣＰＵ３１での制御の際のワークエリアとなるＲＡＭ３３と、ＣＰＵ３１での制御に要するプログラム及び所要のデータを格納するハードディスク３４とを有している。
【００４９】
さらにセンタ装置３は、ネットワークを介して再生端末２とデータを送受するためのネットワークインタフェース３５と、ディスプレイ６１に表示信号を出力する表示インタフェース３６と、キーボード６２及びマウス６３からの操作信号を受信する入力インタフェース３７とを有している。
【００５０】
ハードディスク３４には、複数のコンテンツデータ、並びに再生端末２ごとの通常スケジュールデータ及びキー別スケジュールデータが格納されている。コンテンツデータは、センタ装置３にて作成され、あるいは外部から取得したものである。通常スケジュールデータは、センタ装置３にて作成されたものである。キー別スケジュールデータは、センタ装置３にて作成され、あるいは再生端末２から取得したものである。
【００５１】
ネットワークインタフェース（スケジュールデータ配信手段、スケジュールデータ取得手段）３５では、ＣＰＵ３１からの指示に基づいて、ハードディスク３４から読み出されたスケジュールデータを、ネットワークを介して再生端末２に配信し、また、再生端末から送信されたスケジュールデータを受信するようになっている。
【００５２】
また、ＣＰＵ３１では、後に詳述するように、キーボード６２及びマウス６３によるオペレータの操作に基づいてキー別スケジュールデータを生成するようになっており、このスケジュールデータ生成機能を用いて、キー別スケジュールを新規に作成したり、あるいは再生端末２から取得したキー別スケジュールを修正編集することができる。
【００５３】
図４は、図２に示したリモートコントローラの外観図である。このリモートコントローラ４は、電源キー４１、モードキー４２、メニューキー４３、確認キー４４、数字キー４５、巻き戻しキー４６、再生キー４７、停止キー４８、早送りキー４９、上下左右の方向指示部を備えた十字キー５０、及び決定キー５１を備えている。
【００５４】
電源キー４１は、再生端末２のオン（起動状態）とオフ（スタンバイ状態）とを切り替えるものである。モードキー４２は、通常スケジュールにしたがって登録コンテンツを出力するモードと、キー別スケジュールにしたがって登録コンテンツを出力するモードとを切り替えるものである。メニューキー４３は、再生端末２に関する各種の設定を行うための操作画面を呼び出すものである。確認キー４４は、キー別スケジュールの内容を確認する画面を呼び出すものである。巻き戻しキー４６、再生キー４７、停止キー４８、及び早送りキー４９は、コンテンツ出力時の動作を指示するものである。十字キー５０及び決定キー５１は、各種の操作画面上で選択及び決定を行うものである。
【００５５】
数字キー４５は、対応するキー別スケジュールを選択指定するものであり、登録操作により、各々に異なるキー別スケジュールを割り当てることができる。ここでは、数字キー４５が１２個設けられており、１２通りのキー別スケジュールを登録することができる。
【００５６】
図５は、図２に示した再生端末で用いられる通常スケジュールデータの一例を示している。この通常スケジュールデータは、１日を通して所定の時刻にコンテンツを出力させるものであり、コンテンツの識別名称（識別情報）、及び絶対時間で示されるコンテンツの出力時間（時刻）に関する情報からなっている。
【００５７】
この通常スケジュールデータに登録されるコンテンツは、センタ装置３から配信されて再生端末２のハードディスク２４に予め格納されたもの（画像データ）や、ＴＶ放送を受信するＴＶチューナ５から入力されるもの（ＴＶ入力切替）などである。
【００５８】
図６は、図２に示した再生端末で用いられるキー別スケジュールデータの一例を示している。このキー別スケジュールデータは、リモートコントローラ４の数字キー４５の操作に応じて、登録された複数のコンテンツを最初から順に出力させるものであり、コンテンツの識別名称（識別情報）、及び相対時間で示されるコンテンツの出力時間に関する情報からなっている。特にここでは、各コンテンツの出力開始時間が設定されている。
【００５９】
このキー別スケジュールデータに登録されるコンテンツは、通常スケジュールデータと同様に、センタ装置３から配信されて再生端末２のハードディスク２４に予め格納されたもの（画像データ）や、ＤＶＤメディアを読み取るＤＶＤプレーヤ６から入力されるもの（ＤＶＤ入力切替）などである。
【００６０】
ここでは、指定された出力時間内でコンテンツを繰り返し出力するようにしても良い。また、リモートコントローラ４の数字キー４５の操作に応じて、キー別スケジュールに登録されたコンテンツを最初から順に出力し、このキー別スケジュールにしたがったコンテンツの出力が終了すると最初のコンテンツに戻って繰り返し出力するようにすると良い。さらに、キー別スケジュールに、表示装置１のオン（起動状態）とオフ（スタンバイ状態）との切り替え信号を送出する動作を指示する項目を設定し、表示装置１のオン／オフをスケジュール化するようにしても良い。
【００６１】
図７は、図２に示した再生端末でのスケジュール登録時の操作画面を示している。図８は、図２に示した再生端末でのスケジュール登録時の手順を示すフロー図である。再生端末２では、表示装置１に表示される操作画面を見ながら行われるリモートコントローラ４の操作により、キー別スケジュールを新規に作成し、またセンタ装置３から取得したキー別スケジュールを修正編集することができる。
【００６２】
まずリモートコントローラ４のメニューキー４３を操作すると（ステップ１０１）、メインメニュー画面（図示せず）が表示され、このメインメニュー画面上で該当項目、すなわち装置設定の項目を選択すると（ステップ１０２）、図７（Ａ）に示す装置設定画面が表示される。
【００６３】
図７（Ａ）に示す装置設定画面では、ネットワークや日時などの各種の設定、並びにキー別スケジュール登録の各項目ごとの表示選択部７１が設けられており、リモートコントローラ４の十字キー５０及び決定キー５１を用いて、所要の項目の表示選択部７１を選択決定することで、各種の設定、並びにキー別スケジュール登録の操作画面に移行する。この装置設定画面で、該当項目、すなわちキー別スケジュール登録の表示選択部７１を選択決定すると（ステップ１０３）、図７（Ｂ）に示すスケジュール登録キー指定画面が表示される。
【００６４】
図７（Ｂ）に示すスケジュール登録キー指定画面では、キー別スケジュールを登録可能な数字キー４５ごとの表示選択部７２が設けられており、リモートコントローラ４の十字キー５０及び決定キー５１を用いて、所要の数字キー４５に対応する表示選択部７２を選択決定すると（ステップ１０４）、図７（Ｃ）に示すスケジュール登録画面が表示され、ここで該当する数字キー４５に対応するキー別スケジュールの登録を行うことができる。
【００６５】
図７（Ｃ）に示すスケジュール登録画面では、登録内容表示欄７３内に、出力順位にしたがってコンテンツ及び時間の各表示選択部７４・７５が設けられており、リモートコントローラ４の十字キー５０及び決定キー５１を用いて、コンテンツの表示選択部７４を選択決定することで、登録可能なコンテンツが一覧表示され、リモートコントローラ４の十字キー５０及び決定キー５１を用いて、一覧表示されたコンテンツの中から登録するコンテンツを選択入力することができる。
【００６６】
また、時間の表示選択部７５では、リモートコントローラ４の十字キー５０及び決定キー５１を用いて、時、分及び秒ごとに選択決定することで入力の受付状態となり、リモートコントローラ４の十字キー５０などを用いて、コンテンツの出力時間を入力することができる。
【００６７】
ここでは、最初に出力するコンテンツと出力時間を設定する操作を行い、そのコンテンツの設定が終了すると、次に出力するコンテンツの設定操作に移り、この操作が、指定した数字キー４５に対応するキー別スケジュールに関する設定が全て終了するまで繰り返し行われる（ステップ１０５〜１０８）。
【００６８】
そして、指定した数字キー４５に対応するキー別スケジュールに関する設定が終了すると、十字キー５０及び決定キー５１を用いて、図７（Ｃ）に示すスケジュール登録画面上の登録の表示選択部７６を選択決定することで（ステップ１０９）、入力内容に基づいてキー別スケジュールデータを生成する処理がＣＰＵ２１で行われ、得られたキー別スケジュールデータがハードディスク２４に格納される。
【００６９】
ついで他の数字キー４５にキー別スケジュールを割り当てる場合には（ステップ１１０）、図７（Ｂ）に示すスケジュール登録キー指定画面で該当する数字キー４５を選択する操作に戻り（ステップ１０４）、前記と同様の手順で、コンテンツの登録操作を行い（ステップ１０５〜１０９）、この操作が、キー別スケジュールを割り当てる全ての数字キー４５について終了するまで繰り返される。
【００７０】
図９は、図３に示したセンタ装置でのスケジュール登録時の操作画面を示している。図１０は、図３に示したセンタ装置でのスケジュール登録時の手順を示すフロー図である。センタ装置３では、ディスプレイ６１に表示される操作画面を見ながら行われるキーボード６２やマウス６３の操作により、キー別スケジュールを新規に作成し、また再生端末２から取得したキー別スケジュールを修正編集することができる。
【００７１】
まずセンタ装置３で管理用のアプリケーションを起動させると、図９（Ａ）に示すメインメニュー画面がディスプレイ６１に表示される（ステップ２０１）。
【００７２】
図９（Ａ）に示すメインメニュー画面では、データ登録、スケジュール登録、端末管理、システム管理、メンテナンス、及びキー別スケジュール登録の各項目ごとの表示選択部８１が設けられており、キーボード６２やマウス６３を用いて、所要の項目の表示選択部８１を選択決定することで、各種の設定の操作画面に移行する。ここで、キー別スケジュール登録の表示選択部８１を選択決定すると（ステップ２０２）、図９（Ｂ）に示すスケジュール登録端末指定画面が表示される。
【００７３】
図９（Ｂ）に示すスケジュール登録端末指定画面では、端末表示欄８２内に、再生端末２ごとの表示選択部８３が設けられており、キーボード６２やマウス６３を用いて、所要の再生端末２に対応する表示選択部８３を選択決定すると（ステップ２０３）、図７（Ｂ）に示したものと略同一のスケジュール登録キー指定画面が表示され、このスケジュール登録キー指定画面で、キーボード６２やマウス６３を用いて、所要のキーの表示選択部を選択決定すると（ステップ２０４）、図７（Ｃ）に示したものと略同一のスケジュール登録画面が表示され、ここで、キーボード６２やマウス６３を用いて、一覧表示されたコンテンツの中から登録するコンテンツを選択入力することができ、またコンテンツの出力時間を入力することができ、前記の再生端末２でのスケジュール登録の操作と同一の手順で、キー別スケジュールの登録が行われる（ステップ２０５〜２０８）。
【００７４】
そして、指定した数字キー４５に対応するキー別スケジュールに関する設定が終了すると、キーボード６２やマウス６３を用いて、スケジュール登録画面上の登録の表示選択部を選択決定すると（ステップ２０９）、入力内容に基づいてキー別スケジュールデータを生成する処理がＣＰＵ３１で行われ、得られたキー別スケジュールデータがハードディスク３４に格納される。
【００７５】
ついで他の数字キー４５にスケジュールを割り当てる場合には（ステップ２１０）、前記の操作が繰り返し行われる。なお、キー別スケジュールを登録する再生端末２が複数ある場合には、前記の手順（ステップ２０３以降）が繰り返し行われる。
【００７６】
なお、キー別スケジュールを再生端末２ごとに個別に作成する他、再生端末２をグループ化し、同一のグループに属する再生端末２で同一のキー別スケジュールを利用させるようにすることも可能である。
【００７７】
図１１は、図２に示した再生端末でのスケジュール内容確認のために表示装置に画面表示されるサムネイル表示画面を示している。このサムネイル表示画面は、キー別スケジュールに登録されたコンテンツのサムネイル画像を表示させて、オペレータにコンテンツの内容を確認させるものであり、リモートコントローラ４の確認キー４４を操作した上で数字キー４５によりキー別スケジュールを指定することで表示装置１に画面表示される。
【００７８】
このサムネイル表示画面には、該当するキー別スケジュールに登録されたコンテンツの識別名称が出力順に一覧表示されるリスト表示部９１と、コンテンツごとのサムネイル画像が表示される複数のサムネイル表示部９２とが設けられている。
【００７９】
ここでは、センタ装置３から配信されて再生端末２のハードディスク２４に予め格納されたコンテンツデータ（画像データ）に対応するサムネイル表示部９２に、コンテンツデータをサムネイル処理したサムネイル画像（静止画または動画）が表示される。また、ＤＶＤプレーヤ６から入力されるコンテンツデータ（ＤＶＤ入力切替）に対応するサムネイル表示部９２には、コンテンツの識別名称を示す文字（ＤＶＤ）が表示される。なお、ＤＶＤプレーヤ６などの外部装置から入力されるデータのサムネイル処理を可能に構成して、サムネイル表示部９２にサムネイル画像を表示させることも可能である。
【００８０】
図１２は、図２に示した再生端末でのスケジュール内容確認のために表示装置に画面表示されるキー別スケジュール確認画面を示している。このキー別スケジュール確認画面は、オペレータにキー別スケジュールに登録された出力手順の内容を確認させるものであり、リモートコントローラ４の確認キー４４を操作することで表示装置１に表示される。
【００８１】
このキー別スケジュール確認画面では、表示部１０１に、キー別スケジュールが登録された数字キー４５ごとに、キー別スケジュールに登録された出力手順が番組表形式で表示される、すなわち登録されたコンテンツの識別名称及び出力時間が出力順に一覧表示される。
【００８２】
図１３・図１４は、図２に示した再生端末でのコンテンツ出力時の処理の手順を示すフロー図である。
【００８３】
まずリモートコントローラ４において何らかのキーが操作され（ステップ３０１）、そのキーがモードキー４２であれば（ステップ３０２）、通常スケジュールの再生中か否かの判定が行われ（ステップ３０３）、通常スケジュールの再生中であれば、その通常スケジュールの再生を中断し（ステップ３０４）、キー別スケジュールの再生中の設定（モード変更）とした上で（ステップ３０５）、キー操作の待ち状態になる（ステップ３０１）。
【００８４】
他方、通常スケジュールの再生中か否かの判定で（ステップ３０３）、通常スケジュールの再生中でなく、キー別スケジュールの再生中であれば、そのキー別スケジュールの再生を中止し（ステップ３０６）、通常スケジュールの再生に復帰する処理が行われ（ステップ３０７）、キー操作の待ち状態になる（ステップ３０１）。
【００８５】
また、操作されたキーがモードキー４２でなく（ステップ３０２）、さらにそのキーがキー別スケジュールが割り当てられた数字キー４５でなければ（ステップ３０８）、キー操作の待ち状態に戻り（ステップ３０１）、他方、操作されたキーが、キー別スケジュールが割り当てられた数字キー４５であれば（ステップ３０８）、通常スケジュールの再生中か否かの判定が行われ（ステップ３０９）、通常スケジュールの再生中であれば、数字キー４５の操作が無視され、キー操作の待ち状態に戻る（ステップ３０１）。
【００８６】
他方、通常スケジュールの再生中か否かの判定で（ステップ３０９）、通常スケジュールの再生中でなければ、次にキー別スケジュールの再生中か否かの判定が行われ（ステップ３１０）、キー別スケジュールの再生中であれば、キー別スケジュールの再生を中止する処理が行われる（ステップ３１１）。
【００８７】
次に、出力順位ｎを１に初期化した上で（ステップ３１２）、キー別スケジュールのｎ番目のコンテンツを出力する処理が開始される（ステップ３１３）。そして、その出力中のコンテンツに設定された出力時間が経過する前に（ステップ３１４）、何らかのキーが操作され（ステップ３１５）、そのキーがモードキー４２であれば（ステップ３１６）、そのキー別スケジュールの再生を中止し（ステップ３０６）、通常スケジュールの再生に復帰する処理が行われ（ステップ３０７）、キー操作の待ち状態になる（ステップ３０１）。
【００８８】
他方、操作されたキーがモードキー４２でなく（ステップ３１６）、キー別スケジュールが割り当てられた数字キー４５であれば（ステップ３１７）、キー別スケジュールの再生を中止する処理が行われ（ステップ３１１）、操作された数字キー４５に対応するキー別スケジュールの最初のコンテンツから出力が開始される（ステップ３１２以降）。
【００８９】
他方、ｎ番目のコンテンツに設定された出力時間が経過し（ステップ３１４）、さらにそのｎ番目のコンテンツが最後の出力順位のものであれば（ステップ３１８）、処理を終了し、最後の出力順位のものでなければ、出力順位ｎを１増分して（ステップ３１９）、次の出力順位のコンテンツの出力に移行する。
【００９０】
したがって、通常スケジュールの再生中に、リモートコントローラ４のモードキー４２が操作されると（ステップ３０２）、通常スケジュールの再生が中断され（ステップ３０４）、ついでキー別スケジュールが割り当てられた数字キー４５が操作されると（ステップ３０８）、キー別スケジュールを再生するモードに移行し、操作された数字キー４５に対応するキー別スケジュールに登録されたコンテンツが最初から出力される。
【００９１】
これにより、例えば自動車ディーラの販売店で図５に示すような通常スケジュールが午前９時から全店舗で一斉に再生されている場合でも、ある店舗では販売員がリモコンキーを操作することで、随時、図６に示すようなリモコンキーに予め登録されているキー別スケジュールに表示を切り替えることができるので、来店した顧客の要望や趣向に応じて特定車種の映像を表示させるなどに利用することができる。
【００９２】
また、キー別スケジュールの再生中に、キー別スケジュールが割り当てられた数字キー４５が操作されると（ステップ３０８／ステップ３１７）、現在再生中のキー別スケジュールの再生が中止され（ステップ３１１）、操作された数字キー４５に対応するキー別スケジュールに登録されたコンテンツが最初から出力される。
【００９３】
これにより、例えば顧客との打合せ状況に応じて、キー別スケジュールの車種Ａの映像から別のリモコンキーに登録されているキー別スケジュールの車種Ｂの映像に、随時切り替え表示させるなどに利用することができる。
【００９４】
また、キー別スケジュールの再生中に、モードキー４２が操作されると（ステップ３０２／ステップ３１６）、キー別スケジュールの再生が中止され（ステップ３０６）、通常スケジュールを再生するモードに復帰し（ステップ３０７）、現在の時刻に該当するコンテンツが出力される。
【００９５】
これにより、例えば顧客が帰った後などに簡単な操作でキー別スケジュールから通常スケジュールに表示を戻すことができる。
【００９６】
図１５は、図１に示したコンテンツ出力システムでのデータの受け渡しの状況を示す概念図である。図７（Ａ）に示すように、センタ装置３から、コンテンツデータ、通常スケジュールデータ及びキー別スケジュールデータが再生端末２に配信され、再生端末２では、センタ装置３から取得したキー別スケジュールデータをそのまま利用し、また必要に応じてスケジュールデータ生成機能を用いて修正編集して利用する。
【００９７】
他方、再生端末２にて新規に生成したキー別スケジュールデータが再生端末２からセンタ装置３に送信され、再生端末２が設置された現場で自由に作成されたキー別スケジュールをセンタ装置３で一括管理する。さらに、再生端末２から取得したキー別スケジュールデータを、そのまま、他の再生端末２に配信し、あるいはセンタ装置３において修正編集した上で再生端末２に配信する。
【００９８】
また、図７（Ｂ）に示すように、センタ装置３から再生端末２に配信されたキー別スケジュールデータを、現場の要望に応じて再生端末２においてスケジュールデータ生成機能を用いて修正編集した後に、センタ装置３に送り返すこともでき、これによりセンタ装置３でキー別スケジュールデータの利用状況を把握し、さらに、再生端末２から取得した修正済みのキー別スケジュールデータを、そのまま、他の再生端末２に配信し、あるいはセンタ装置３において再度修正編集した上で再生端末２に配信することもできる。
【００９９】
なおここでは、通常スケジュールをセンタ装置３から再生端末２に一方的に配信するものとしたが、キー別スケジュールデータと同様、再生端末２で新規に作成したり、またセンタ装置３から配信されたものを修正編集することができる構成とすることも可能である。
【０１００】
図１６は、図１５に示したコンテンツ出力システムでのキー別スケジュールを再生端末からセンタ装置に送信する際の処理手順を示すフロー図である。ここでは、再生端末２で新規に作成されたキー別スケジュール、あるいはセンタ装置３から配信された後に再生端末２で修正編集されたキー別スケジュールを、再生端末２からセンタ装置３に送信する。
【０１０１】
まず再生端末２において、キー別スケジュールのセンタ装置３への送信を指示する操作が行われると（ステップ４０１）、ハードディスク２４に格納されたキー別スケジュールを検索して、登録済みのキー別スケジュールがあれば（ステップ４０２）、そのキー別スケジュールデータをセンタ装置３に送信する処理が行われる（ステップ４０３）。
【０１０２】
センタ装置３では、再生端末２からのキー別スケジュールデータを受信すると（ステップ５０１）、受信したスケジュールデータをハードディスク３４に格納する処理が行われ（ステップ５０２）、これが各再生端末２について繰り返し行われる。
【０１０３】
図１７は、図１５に示したコンテンツ出力システムでのキー別スケジュールをセンタ装置から再生端末に配信する際の処理手順を示すフロー図である。ここでは、センタ装置３側で作成され、また他の再生端末２で作成された後にセンタ装置３に送られて蓄積され、あるいは修正編集されたキー別スケジュールを、センタ装置３から再生端末２に配信する。
【０１０４】
まずセンタ装置３において、まず配信先の再生端末２を選択指定する操作が行われ（ステップ６０１）、ついでキー別スケジュールの再生端末２への配信を指示する操作が行われると（ステップ６０２）、ハードディスク３４に格納されたキー別スケジュールを検索して、登録済みのキー別スケジュールがあれば（ステップ６０３）、そのキー別スケジュールを指定の再生端末２に配信する処理が行われる（ステップ６０４）。そして、他の再生端末２にもキー別スケジュールを配信する場合には（ステップ６０５）、前記の処理が繰り返し行われる。
【０１０５】
再生端末２では、センタ装置３からスケジュールデータを受信すると（ステップ７０１）、受信したスケジュールデータをハードディスク２４に格納する処理が行われる（ステップ７０２）。
【産業上の利用可能性】
【０１０６】
本発明にかかるコンテンツ出力制御装置、コンテンツ出力システム、コンテンツ出力管理装置、及びコンテンツ出力方法は、多様なスケジュールを簡単な操作で選択して利用することができ、また現場で出力するコンテンツを適宜に選択して利用することができる効果を有し、コンテンツ出力装置でのコンテンツの出力を制御するコンテンツ出力制御装置、コンテンツ出力制御装置でのコンテンツの出力状態を管理するコンテンツ出力管理装置、コンテンツ出力装置とコンテンツ出力制御装置とコンテンツ出力管理装置とで構成されるコンテンツ出力システム、コンテンツ出力装置でのコンテンツの出力を制御するコンテンツ出力方法などとして有用である。
【図面の簡単な説明】
【０１０７】
【図１】本発明によるコンテンツ出力システムを示すシステム構成図
【図２】図１に示した再生端末の概略構成を示すブロック図
【図３】図１に示したセンタ装置の概略構成を示すブロック図
【図４】図２に示したリモートコントローラの外観図
【図５】図２に示した再生端末で用いられる通常スケジュールデータの一例を示す図
【図６】図２に示した再生端末で用いられるキー別スケジュールデータの一例を示す図
【図７】図２に示した再生端末でのスケジュール登録時の操作画面を示す図
【図８】図２に示した再生端末でのスケジュール登録時の手順を示すフロー図
【図９】図３に示したセンタ装置でのスケジュール登録時の操作画面を示す図
【図１０】図３に示したセンタ装置でのスケジュール登録時の手順を示すフロー図
【図１１】図２に示した再生端末でのスケジュール内容確認のために表示装置に画面表示されるサムネイル表示画面を示す図
【図１２】図２に示した再生端末でのスケジュール内容確認のために表示装置に画面表示されるキー別スケジュール確認画面を示す図
【図１３】図２に示した再生端末でのコンテンツ出力時の処理の手順を示すフロー図
【図１４】図２に示した再生端末でのコンテンツ出力時の処理の手順を示すフロー図
【図１５】図１に示したコンテンツ出力システムでのデータの受け渡しの状況を示す概念図
【図１６】図１５に示したコンテンツ出力システムでのキー別スケジュールを再生端末からセンタ装置に送信する際の処理手順を示すフロー図
【図１７】図１５に示したコンテンツ出力システムでのキー別スケジュールをセンタ装置から再生端末に配信する際の処理手順を示すフロー図
【符号の説明】
【０１０８】
１  表示装置（コンテンツ出力装置）
２  再生端末（コンテンツ出力制御装置）
３  センタ装置（コンテンツ出力管理装置）
４  リモートコントローラ（入力手段）
２１  ＣＰＵ（出力制御手段、スケジュールデータ生成手段、スケジュールデータ表示制御手段）
２４  ハードディスク（記憶手段）
２５  ネットワークインタフェース（スケジュールデータ送信手段）
３５  ネットワークインタフェース（スケジュールデータ配信手段、スケジュールデータ取得手段）
４４  確認キー
４５  数字キー
【図１】
2007027915.tif 000003
【図２】
2007027915.tif 000004
【図３】
2007027915.tif 000005
【図４】
2007027915.tif 000006
【図５】
2007027915.tif 000007
【図６】
2007027915.tif 000008
【図７】
2007027915.tif 000009
【図８】
2007027915.tif 000010
【図９】
2007027915.tif 000011
【図１０】
2007027915.tif 000012
【図１１】
2007027915.tif 000013
【図１２】
2007027915.tif 000014
【図１３】
2007027915.tif 000015
【図１４】
2007027915.tif 000016
【図１５】
2007027915.tif 000017
【図１６】
2007027915.tif 000018
【図１７】
2007027915.tif 000019